(57)【要約】【課題】コードの耐久性を向上させることができるコード式刈払機の刈払ヘッドを提供する。【解決手段】可撓性のコードを高速回転させて草を刈るコード式刈払機の刈払ヘッドである。刈払ヘッド１は、操作棹の先端部に取付けられたギアボックスに回転可能に取付けられ、ナイロンコード８は、刈払ヘッド１の外周部に設けられた出口部材７から導出される。出口部材７は、刈払ヘッド１の回転面と垂直に設けられた支持軸７ａの軸心回りに回動可能に設けられている。【選択図】図２
2014143981.tif 000002
【特許請求の範囲】
【請求項１】
可撓性のコードを高速回転させて草を刈るコード式刈払機の刈払ヘッドにおいて、
該刈払ヘッドは、操作棹の先端部に取付けられたギアボックスに回転可能に取付けられ、
該コードは、該刈払ヘッドの外周部に設けられた出口部材から導出され、
該出口部材は、該刈払ヘッドの回転面と垂直に設けられた支持軸の軸心回りに回動可能に設けられていることを特徴とするコード式刈払機の刈払ヘッド。
【請求項２】
前記出口部材の中央部には、前記コードが導出される導出孔が貫設され、
該出口部材の該導出孔と垂直方向外側には、２つの前記支持軸が同一の軸心を有して反対方向に突設され、
前記刈払ヘッドの外周部には、該出口部材が取付けられる取付孔が設けられ、
該取付孔には、該支持軸を軸支可能な２つの軸穴が該刈払ヘッドの回転面と垂直に設けられていることを特徴とする請求項１記載のコード式刈払機の刈払ヘッド。
【請求項３】
前記前記出口部材は、前記支持軸を含む第１部材と、前記導出孔を含み該第１部材に嵌入される第２部材とからなり、
該第１部材と該第２部材とは、異なる材質からなることを特徴とする請求項１又は２記載のコード式刈払機の刈払ヘッド。
【請求項４】
前記刈払ヘッドには、リールに巻回された前記コードが内蔵され、
該コードの先端部が前記出口部材から導出されていることを特徴とする請求項１乃至３のいずれか１項記載のコード式刈払機の刈払ヘッド。
【発明の詳細な説明】
【技術分野】
【０００１】
本発明は、可撓性のコードを高速回転させて草を刈るコード式刈払機の刈払ヘッドに関する。
【背景技術】
【０００２】
コード式刈払機には、一定の長さのナイロンコードを刈払ヘッドに差し込んでナイロンコードを交換するものと、所定の長さのナイロンコードが刈払ヘッドから繰り出されてナイロンコードを一定の長さに保つものとがある。前者のコード式刈払機の刈払ヘッドとしては、図１０に示すものがある。この刈払ヘッド８２は、操作棹８０の先端部に取付けられたギアボックス８１に回転可能に取付けられている。また、刈払ヘッド８２の外周部には、ナイロンコード８４が導出される出口部材８３が一体として設けられている。ナイロンコード８４は、一端にストッパー８４ａ（図１２参照）を有する一定の長さのナイロン製であり、刈払ヘッド８２内から出口部材８３に差し込まれて導出されている。この刈払ヘッド８２では、図示しないモータやエンジン等の駆動源により刈払ヘッド８２が矢印Ａの方向に回転されることにより、ナイロンコード８４が矢印Ａの方向に高速回転されて草を刈ることができる。そして、ナイロンコード８４が摩耗した場合、新しいナイロンコード８４を刈払ヘッド８２内から出口部材８３に差し込んで交換する。このような刈払ヘッドとして、例えば、特許文献１に記載されたものがある。
【０００３】
また、後者のコード式刈払機の刈払ヘッドとしては、図１１に示すものがある。この刈払ヘッド９２は、操作棹９０の先端部に取付けられたギアボックス９１に回転可能に取付けられている。また、刈払ヘッド９２の外周部には、ナイロンコード９４が導出される出口部材９３が設けられている。ナイロンコード９４は、刈払ヘッド９２に内蔵されたリール（図示なし）に巻回され、先端部が出口部材９３から導出されている。また、刈払ヘッド９２の底部には、打当部材９５が下方に突設されている。この刈払ヘッド９２では、図示しない駆動源により刈払ヘッド９２が矢印Ｂの方向に回転されることにより、ナイロンコード９４が矢印Ｂの方向に高速回転されて草を刈ることができる。そして、ナイロンコード９４が摩耗した場合、打当部材９５を地面に打ち当てることにより、所定の長さのナイロンコード９４が出口部材９３から繰り出されてナイロンコード９４が一定の長さに保たれる。このような刈払ヘッドとして、例えば、特許文献２に記載されたものがある。
【先行技術文献】
【特許文献】
【０００４】
【特許文献１】特開２００７−１３５４１８号公報（図３、図４）
【特許文献２】特開２００２−２９１３１５号公報
【発明の概要】
【発明が解決しようとする課題】
【０００５】
しかし、上記特許文献１記載の刈払ヘッドでは、草刈作業中にナイロンコード８４が草のみでなく地表の石や小径の雑木等に当たり大きな負荷を受ける。そして、図１２に示すように、ナイロンコード８４は、矢印Ａで示す回転方向と逆方向に屈曲する。ただし、図１２は、刈払ヘッド８２を回転面に平行な面で切断した拡大断面図である。ここで、特に、出口部材８３の開口部８３ａにおいて、ナイロンコード８４は大きく屈曲するとともに集中的に負荷を受ける。こうして、ナイロンコード８４は、出口部材８３の開口部８３ａに当接する部分が他の部分より早く摩耗して、この部分で切断し易くなる。このため、ナイロンコード８４を早期に交換しなければならず、その耐久性に問題を生じていた。
【０００６】
また、特許文献２記載の刈払ヘッドにおいても、刈払ヘッド８２と同様、図１１に示すように、ナイロンコード９４が出口部材９３の開口部９３ａに当接する部分が他の部分より早く摩耗するため、その耐久性に問題を生じていた。さらに、刈払ヘッド９２においては、ナイロンコード９４が出口部材９３の開口部９３ａで切断すると、刈払ヘッド９２内のナイロンコード９４の受ける遠心力により、切断されたナイロンコード９４の先端部が刈払ヘッド９２内に入り込み易くなる。このような事態が発生すると、打当部材９５を地面に打ち当てても所定の長さのナイロンコード９４が出口部材９３から繰り出されることがない。そのため、刈払ヘッド９２を分解してリールを取り出し、ナイロンコード９４をリールに巻き直した後、再度組立てなければならない。
【０００７】
本発明はかかる従来の問題点に鑑みてなされたものであり、コードの耐久性を向上させることができるコード式刈払機の刈払ヘッドを提供するものである。
【課題を解決するための手段】
【０００８】
上記の課題を解決するために、請求項１に係るコード式刈払機の刈払ヘッドの特徴は、可撓性のコードを高速回転させて草を刈るコード式刈払機の刈払ヘッドにおいて、該刈払ヘッドは、操作棹の先端部に取付けられたギアボックスに回転可能に取付けられ、該コードは、該刈払ヘッドの外周部に設けられた出口部材から導出され、該出口部材は、該刈払ヘッドの回転面と垂直に設けられた支持軸の軸心回りに回動可能に設けられていることである。
【０００９】
請求項２に係るコード式刈払機の刈払ヘッドの特徴は、前記出口部材の中央部には、前記コードが導出される導出孔が貫設され、該出口部材の該導出孔と垂直方向外側には、２つの前記支持軸が同一の軸心を有して反対方向に突設され、前記刈払ヘッドの外周部には、該出口部材が取付けられる取付孔が設けられ、該取付孔には、該支持軸を軸支可能な２つの軸穴が該刈払ヘッドの回転面と垂直に設けられていることである。
【００１０】
請求項３に係るコード式刈払機の刈払ヘッドの特徴は、前記前記出口部材は、前記支持軸を含む第１部材と、前記導出孔を含み該第１部材に嵌入される第２部材とからなり、該第１部材と該第２部材とは、異なる材質からなることである。
【００１１】
請求項４に係るコード式刈払機の刈払ヘッドの特徴は、前記刈払ヘッドには、リールに巻回された前記コードが内蔵され、該コードの先端部が前記出口部材から導出されていることである。
【発明の効果】
【００１２】
請求項１に係るコード式刈払機の刈払ヘッドにおいては、出口部材が刈払ヘッドの回転面と垂直に設けられた支持軸の軸心回りに回動可能に設けられている。そのため、草刈作業中にナイロンコードが地表の石や小径の雑木等に当たり、刈払ヘッドの回転方向と逆方向に回転された場合、出口部材も刈払ヘッドの回転方向と逆方向に回転する。これにより、ナイロンコードは、出口部材の開口部において大きく屈曲されることはなく、この部分で集中的に負荷を受けることもない。したがって、このコード式刈払機の刈払ヘッドによれば、コードの耐久性を向上させることができる。
【００１３】
請求項２に係るコード式刈払機の刈払ヘッドにおいては、出口部材の中央部にはコードが導出される導出孔が貫設され、出口部材の導出孔と垂直方向外側には２つの支持軸が同一の軸心を有して反対方向に突設されている。また、刈払ヘッドの外周部には出口部材が取付けられる取付孔が設けられ、この取付孔には支持軸を軸支可能な２つの軸穴が刈払ヘッドの回転面と垂直に設けられている。これにより、簡単な構造で、支持軸の軸心回りに回動可能な出口部材を製作することができる。
【００１４】
請求項３に係るコード式刈払機の刈払ヘッドにおいては、出口部材は、支持軸を含む第１部材と、導出孔を含み第１部材に嵌入される第２部材とからなり、第１部材と第２部材とは異なる材質からなっている。そのため、第１部材の材質として軽量の樹脂等を採用し、第２部材の材質として硬質のアルミやセラミック等を採用すれば、コードの耐久性を向上させることができるとともに、出口部材のコード出口部分の耐久性も向上でき、コスト低減、及び軽量化を実現することができる。
【００１５】
請求項４に係るコード式刈払機の刈払ヘッドにおいては、刈払ヘッドにはリールに巻回されたコードが内蔵され、コードの先端部が出口部材から導出されている。このような刈払ヘッドにおいては、コードが出口部材の開口部で切断され難い上、煩雑な分解・巻き直し・再組立の作業が減少し、作業効率を向上させることができる。
【図面の簡単な説明】
【００１６】
【図１】実施形態１の刈払ヘッドの斜視図。
【図２】実施形態１の刈払ヘッドの分解斜視図。
【図３】実施形態１の刈払ヘッドを用いたコード式刈払機の一部断面図。
【図４】実施形態１の刈払ヘッドを用いたコード式刈払機に係り、作業時の斜視図。
【図５】実施形態１、２の刈払ヘッドに係り、出口部材の斜視図。
【図６】実施形態１、２の刈払ヘッドに係り、出口部材の分解斜視図。
【図７】実施形態２の刈払ヘッドの斜視図。
【図８】実施形態２の刈払ヘッドの分解斜視図。
【図９】実施形態２の刈払ヘッドを用いたコード式刈払機に係り、作業時の斜視図。
【図１０】従来の刈払ヘッドを用いたコード式刈払機の斜視図。
【図１１】従来の刈払ヘッドを用いたコード式刈払機の斜視図。
【図１２】従来の刈払ヘッドの一部拡大断面図。
【発明を実施するための形態】
【００１７】
本発明に係るコード式刈払機の刈払ヘッドを具体化した実施形態１及び実施形態２を図面に基づいて以下に説明する。ただし、実施形態１及び実施形態２において、図１０及び図１１と同様の構成については同じ記号を使用するものとする。まず、実施形態１の刈払ヘッドについて説明する。図１は実施形態１の刈払ヘッド１の斜視図であり、図２は刈払ヘッド１の分解斜視図である。図１に示すように、刈払ヘッド１は、カバー２、ハウジング３、出口部材７、及びナイロンコード８を有している。また、カバー２とハウジング３とが組付けられることにより、出口部材７が取付けられる取付孔６が形成される。ここで、ナイロンコード８が「コード」である。
【００１８】
刈払ヘッド１の構成について、図２を用いて詳細に示す。カバー２は円盤状をなし、円周部には４個の軸穴２ａが刈払ヘッド１の回転面と垂直に設けられている。ハウジング３は、薄肉の有蓋円筒状をなす本体部４と、本体部４の下端から全周に亘って外側に突出するフランジ部５とからなっている。そして、本体部４の外周部には、４個の挿入窓４ａが長孔状に設けられている。また、フランジ部５には、カバー２の軸穴２ａと対応した位置に４個の軸穴５ａが刈払ヘッド１の回転面と垂直に設けられている。この軸穴２ａ、５ａにより、後述する支持軸７ａが軸支される。
【００１９】
出口部材７は直方体をなし、ナイロンコード８が導出される導出孔７ｂが中央部に貫設されている。また、出口部材７の導出孔７ｂと垂直方向外側には、２個の支持軸７ａが同一の軸心を有して反対方向に突設されている。ナイロンコード８は、紐状のコード本体８ａと、コード本体８ａの一端に設けられたストッパー８ｂとからなっている。このストッパー８ｂにより、刈払ヘッド１が回転した場合、ナイロンコード８が刈払ヘッド１から抜けるのを防止することができる。
【００２０】
この刈払ヘッド１では、４個の出口部材７の支持軸７ａが、刈払ヘッド１の回転面と垂直に設けられた軸穴２ａ、５ａに軸支される。そのため、支持軸７ａは刈払ヘッド１の回転面と垂直に取付けられ、出口部材７は支持軸７ａの軸心回りに回動可能にされる。また、ナイロンコード８は、コード本体８ａの先端（ストッパー８ｂと反対側）をハウジング３の内側から挿入窓４ａ及び導出孔７ｂに挿入して、ハウジング３に取付けられる。
【００２１】
図３に示すように、この刈払ヘッド１は操作棹８０の先端部に取付けられたギアボックス８１に回転可能に取付けられ、コード式刈払機が完成する。このコード式刈払機では、ナイロンコード８が摩耗した場合、新しいナイロンコード８をハウジング３の内側から挿入窓４ａ及び導出孔７ｂに差し込んで交換することができる。
【００２２】
図４に示すように、この刈払ヘッド１では、駆動源により刈払ヘッド１が矢印Ｃの方向に回転されることにより、ナイロンコード８が矢印Ｃの方向に高速回転されて草を刈ることができる。そして、草刈作業中にナイロンコード８が地表の石や小径の雑木等に当たり、矢印Ｃと逆方向に回転された場合、出口部材７も矢印Ｃと逆方向に回転する。
【００２３】
また、この刈払ヘッド１では、出口部材７の代わりに、図５に示す出口部材１０を採用することもできる。この出口部材１０は、支持軸１１ａ、１１ｂを含む第１部材１１と、導出孔１２ｂを含み第１部材１１に嵌入される第２部材１２とからなっている。図６に示すように、第１部材１１は、樹脂製の直方体をなし、第２部材１２が嵌入される嵌入孔１１ｃが中央部に貫設されている。また、第１部材１１の嵌入孔１１ｃと垂直方向外側には、２個の支持軸１１ａ、１１ｂが同一の軸心を有して反対方向に突設されている。第２部材１２は、アルミ製の直方体をなす本体部１２ａと、本体部１２ａから一体として外側に突設された鍔部１２ｃとからなり、本体部１２ａにはナイロンコード８が導出される導出孔１２ｂが貫設されている。この第２部材１２の本体部１２ａが第１部材１１の嵌入孔１１ｃに嵌入されて、図５に示す出口部材１０が完成する。なお、第１部材１１と第２部材１２とを組付け易くするため、第１部材１１及び第２部材１２の上部からスリットが切り込まれている。
【００２４】
実施形態１の刈払ヘッド１では、出口部材７が刈払ヘッド１の回転面と垂直に設けられた支持軸７ａの軸心回りに回動可能に設けられている。そのため、草刈作業中にナイロンコード８が地表の石や小径の雑木等に当たり、刈払ヘッド１の回転方向と逆方向に回転された場合、出口部材７も刈払ヘッド１の回転方向と逆方向に回転する。これにより、ナイロンコード８は、出口部材７の開口部において大きく屈曲されることはなく、この部分で集中的に負荷を受けることもない。したがって、実施形態１の刈払ヘッド１によれば、ナイロンコード８の耐久性を向上させることができる。
【００２５】
また、この刈払ヘッド１では、出口部材７の中央部にはナイロンコード８が導出される導出孔７ｂが貫設され、出口部材７の導出孔７ｂと垂直方向外側には２つの支持軸７ａが同一の軸心を有して反対方向に突設されている。また、刈払ヘッド１の外周部には出口部材７が取付けられる取付孔６が設けられ、この取付孔６を構成するカバー２及びハウジング３には、支持軸７ａを軸支可能な２つの軸穴２ａ、５ａが刈払ヘッド１の回転面と垂直に設けられている。これにより、簡単な構造で、支持軸７ａの軸心回りに回動可能な出口部材７を製作することができる。
【００２６】
さらに、この刈払ヘッド１では、出口部材７の代わりに出口部材１０を採用することもできる。出口部材１０は、支持軸１１ａ、１１ｂを含む第１部材１１と、導出孔１２ｂを含み第１部材１１に嵌入される第２部材１２とからなっている。そのため、第１部材１１の材質として軽量の樹脂等を採用し、第２部材１２の材質として硬質のアルミやセラミック等を採用すれば、ナイロンコード８の耐久性を向上させることができるとともに、出口部材のコード出口部分の耐久性も向上でき、コスト低減、及び軽量化を実現することができる。
【００２７】
次に、実施形態２の刈払ヘッドについて説明する。図７は実施形態２の刈払ヘッド２０の斜視図であり、図８は刈払ヘッド２０の分解斜視図である。図７に示すように、刈払ヘッド２０は、ハウジング２１、カバー２８、出口部材２７、及び出口部材２７から導出されるナイロンコード２６を有している。また、カバー２８の底部からは、打当部材２５ａが下方に突出されている。ここで、ナイロンコード２６が「コード」である。
【００２８】
刈払ヘッド２０の構成について、図８を用いて詳細に示す。ハウジング２１は、薄肉の有蓋円筒状をなし、蓋部２２と、蓋部２２と一体成形された円筒部２３とから構成されている。円筒部２３の２箇所には、出口部材２７が取付けられる取付孔２３ａが設けられ、取付孔２３ａの上部には、軸穴２３ｂが刈払ヘッド２０の回転面と垂直に凹設されている。また、カバー２８は略円盤状をなし、ハウジング２１の軸穴２２ｂと対応した位置に、２個の軸穴２８ａが刈払ヘッド２０の回転面と垂直に設けられている。この軸穴２３ｂ、２８ａにより、後述する支持軸２７ａが軸支される。
【００２９】
ハウジング２１内には、ナット２４ａ、スプリング２４ｂ、打当部材２５ａを有するリール２５、及びナイロンコード２６が収納されている。ナット２４ａはハウジング２１をギアボックス９１（図９参照）に取付けるものであり、スプリング２４ｂはリール２５及びカバー２８をハウジング２１と離反する方向に押圧するものである。また、リール２５の外周面にはナイロンコード２６が巻回され、ハウジング２１及びカバー２８に取付けられる２つの出口部材２７からナイロンコード２６の先端が導出される。
【００３０】
出口部材２７は直方体をなし、ナイロンコード２６が導出される導出孔２７ｂが中央部に貫設されている。また、出口部材２７の導出孔２７ｂと垂直方向外側には、２個の支持軸２７ａが同一の軸心を有して反対方向に突設されている。この刈払ヘッド２０では、２個の出口部材２７の支持軸２７ａが、刈払ヘッド２０の回転面と垂直に設けられた軸穴２３ｂ、２８ａに軸支される。そのため、支持軸２７ａは刈払ヘッド２０の回転面と垂直に取付けられ、出口部材２７は支持軸２７ａの軸心回りに回動可能にされる。
【００３１】
図９に示すように、この刈払ヘッド２０は操作棹９０の先端部に取付けられたギアボックス９１に回転可能に取付けられ、コード式刈払機が完成する。このコード式刈払機では、ナイロンコード２６が摩耗した場合、打当部材２５ａを地面に打ち当てることにより、所定の長さのナイロンコード２６が出口部材２７から繰り出されてナイロンコード２６が一定の長さに保たれる。また、この刈払ヘッド２０では、駆動源により刈払ヘッド２０が矢印Ｄの方向に回転されることにより、ナイロンコード２６が矢印Ｄの方向に高速回転されて草を刈ることができる。そして、草刈作業中にナイロンコード２６が地表の石や小径の雑木等に当たり、矢印Ｄと逆方向に回転された場合、出口部材２７も矢印Ｄと逆方向に回転する。さらに、この刈払ヘッド２０では、実施形態１の場合と同様、出口部材２７の代わりに、図５及び図６に示す出口部材１０を採用することもできる。
【００３２】
実施形態２の刈払ヘッド２０では、出口部材２７が刈払ヘッド２０の回転面と垂直に設けられた支持軸２７ａの軸心回りに回動可能に設けられている。そのため、草刈作業中にナイロンコード２６が地表の石や小径の雑木等に当たり、刈払ヘッド２０の回転方向と逆方向に回転された場合、出口部材２７も刈払ヘッド２０の回転方向と逆方向に回転する。これにより、ナイロンコード２６は、出口部材２７の開口部において大きく屈曲されることはなく、この部分で集中的に負荷を受けることもない。したがって、実施形態２の刈払ヘッド２０によれば、ナイロンコード２６の耐久性を向上させることができる。
【００３３】
また、この刈払ヘッド２０では、出口部材２７の中央部にはナイロンコード２６が導出される導出孔２７ｂが貫設され、出口部材２７の導出孔２７ｂと垂直方向外側には２つの支持軸２７ａが同一の軸心を有して反対方向に突設されている。また、刈払ヘッド２０の外周部には出口部材２７が取付けられる取付孔２３ａが設けられ、ハウジング２１及びカバー２８には、支持軸２７ａを軸支可能な２つの軸穴２３ｂ、２８ａが刈払ヘッド２０の回転面と垂直に設けられている。これにより、簡単な構造で、支持軸２７ａの軸心回りに回動可能な出口部材２７を製作することができる。
【００３４】
さらに、この刈払ヘッド２０では、実施形態１と同様、出口部材２７の代わりに出口部材１０を採用することもできる。出口部材１０を採用した場合の効果は、実施形態１と同様である。
【００３５】
以上、本発明のコード式刈払機の刈払ヘッドを実施形態１及び実施形態２に即して説明したが、本発明はこれらに制限されるものではなく、本発明の技術的思想に反しない限り、適宜変更して適用できることはいうまでもない。例えば、実施形態１及び実施形態２においては、軸穴２ａ、２３ｂ、２８ａを刈払ヘッド１、２０側に設け、支持軸７ａ、１１ａ、１１ｂ、２７ａを出口部材７、１０、２７側に設けたが、軸穴を出口部材側に設け、支持軸を刈払ヘッド側に設けてもよい。
【符号の説明】
【００３６】
１，２０…刈払ヘッド、２ａ，５ａ，２３ｂ，２８ａ…軸穴、６，２３ａ…取付孔、７，１０，２７…出口部材、７ａ，１１ａ，１１ｂ，２７ａ…支持軸、７ｂ、１２ｂ、２７ｂ…導出孔、８，２６…コード（ナイロンコード）、１１…第１部材、１２…第２部材、２５…リール、８０，９０…操作棹、８１，９１…ギアボックス。
【図１】
2014143981.tif 000003
【図２】
2014143981.tif 000004
【図３】
2014143981.tif 000005
【図４】
2014143981.tif 000006
【図５】
2014143981.tif 000007
【図６】
2014143981.tif 000008
【図７】
2014143981.tif 000009
【図８】
2014143981.tif 000010
【図９】
2014143981.tif 000011
【図１０】
2014143981.tif 000012
【図１１】
2014143981.tif 000013
【図１２】
2014143981.tif 000014